(57)【要約】【課題】  筋状の汚れの発生を防止することができるシャッターボックスを提供する。【解決手段】  外壁４から外側に突出するように窓３の上辺に設けられ、天面１ａに水勾配が設けられてなるシャッターボックス１であって、シャッターボックス１の前面１ｂよりもさらに外方向に突出するように天面１ａから延設され、その延設先端がさらに下方向に屈曲された水切り部Ａが形成されたものである。【選択図】  図１
2006328695.tif 000002
【特許請求の範囲】
【請求項１】
外壁から外側に突出するように開口部の上辺に設けられ、天面に水勾配が設けられてなるシャッターボックスであって、シャッターボックスの前面よりもさらに外方向に突出するように天面から延設され、その延設先端がさらに下方向に屈曲された水切り部が形成されたことを特徴とするシャッターボックス。
【発明の詳細な説明】
【技術分野】
【０００１】
本発明は、シャッターボックス構造に関するものである。
【背景技術】
【０００２】
一般に、住宅建物に設けられるガレージや掃き出し窓などには、シャッターなどが設けられている。
【０００３】
従来より、このシャッターを収納するシャッターボックスは、ガレージや掃き出し窓などの開口部の上辺において、外壁に内装されるようにして設けたり、外壁から突出するようにして設けられている。このうち、外壁から突出するようにして設けられるシャッターボックスの天面部分には、緩い水勾配が設けられていた（特許文献１参照）。
【特許文献１】特開２００２−９７８６５号公報
【発明の開示】
【発明が解決しようとする課題】
【０００４】
しかし、上記従来のように、天面部分に緩い水勾配を設けて開口部の上辺から突出するようにして設けられるシャッターボックスの場合、雨が降ると、シャッターボックス前面に雨筋が垂れて、そのまま筋状の汚れとして残るといった不都合を生じることとなる。
【０００５】
すなわち、シャッターボックスの天面部分には、空気中の塵埃が堆積するため、このような塵埃を含んだ雨筋が垂れると、そのまま筋状の汚れとなって現れることとなる。
【０００６】
このような筋状の汚れは、シャッターボックスが住宅建物の軒下に納まっているような場合には殆ど発生しないが、例えば、充分な軒が確保されないビルや陸屋根タイプの住宅建物などに設けられるシャッターボックスの場合や、充分な軒が確保されているが総二階物件の一階部分に設けられるシャッターボックスなどの場合には、このような筋状の汚れは顕著になる。
【０００７】
また、シャッターボックスが淡彩色の場合には、特にこのような筋状の汚れが目立つこととなる。
【０００８】
本発明は係る実情に鑑みてなされたものであって、筋状の汚れの発生を防止することができるシャッターボックスを提供することを目的としている。
【課題を解決するための手段】
【０００９】
上記課題を解決するための本発明のシャッターボックスは、外壁から外側に突出するように開口部の上辺に設けられ、天面に水勾配が設けられてなるシャッターボックスであって、シャッターボックスの前面よりもさらに外方向に突出するように天面から延設され、その延設先端がさらに下方向に屈曲された水切り部が形成されたものである。
【発明の効果】
【００１０】
以上述べたように、本発明によると、天面からの塵埃を含んだ雨水は、前面に雨筋となって垂れることなく水切り部から流れ落ちるので、シャッターボックスの前面が筋状に汚れるのを防止することができる。
【発明を実施するための最良の形態】
【００１１】
以下、本発明の実施の形態を図面を参照して説明する。
【００１２】
図１および図２はシャッターボックス１の全体構成の概略を示し、図３は同シャッターボックス１の要部を示し、図４は同シャッターボックス１の使用状態を示している。
【００１３】
すなわち、このシャッターボックス１は、水切り部Ａが形成されている。
【００１４】
シャッターボックス１は、窓３の幅に略合致する長さで、その内部にシャッター１０を巻回して収納することができる直方体形状となされている。図４に示すように、このシャッターボックス１は、窓３の上辺部分に設けられ、外壁４から外側に突出するように設けられる。したがって、このシャッターボックス１の天面１ａは、施工状態で外壁４に近い基端部側から、外壁４から離れる先端側に向けて下り勾配となるように水勾配が設けられている。また、前面１ｂや両側面１ｃには、シャッターボックス１自体の意匠性を高める溝部１１が設けられている。シャッターボックス１の底面１ｄには、このシャッターボックス１内にシャッター１０が収納された状態でシャッター１０の末端が密着するようになされており、この底面１ｄから窓３を覆うようにシャッター１０が出没可能となされている。このシャッターボックス１からのシャッター１０の出没は、電動または手動の何れの機構のものであってもよい。
【００１５】
水切り部Ａは、シャッターボックス１の前面１ｂよりもさらに外方向に突出するように天面１ａから延設され、その延設先端がさらに下方向に屈曲されて屈曲部２１を形成するようになされている。図３に示すように、前面１ｂよりも突出する水切り部Ａの突出幅Ｗとしては、５ｍｍ以上、好ましくは２０ｍｍ程度が良い。また、屈曲部２１の屈曲長さＬとしては、雨水を下方向に案内することができる長さであれば特に限定されるものではなく、５ｍｍ以上、好ましくは１５ｍｍ程度が良い。この水切り部Ａは、通常のシャッターボックス１の天面１ａに、鋼板２を設けて構成されている。すなわち、鋼板２は、シャッターボックス１の天面１ａに略合致する長さに形成され、天面１ａに設けた状態でシャッターボックス１の前面１ｂから延設されて水切り部Ａを構成することができる幅となされた長板状に形成されており、一側辺は、上記した屈曲部２１を構成するように屈曲されている。また、他側辺は、シャッターボックス１を外壁４に取り付けた際に外壁４に沿うようになされた天面１ａの溝部１２に係止するように屈曲されて係止部２２を構成するようになされている。この鋼板２は、シャッターボックス１の天面１ａ上に接着したり、係止部２２を溝部１２内でビス固定した後、ビス固定部分を止水するために溝部１２内をシーリング剤５で充填するといったことによって取り付けられる。
【００１６】
このように鋼板２を設けて水切り部Ａを構成する場合、このような水切り部Ａの無い既設のシャッターボックス１であっても、所定の鋼板２を設けることによって本願発明のように水切り部Ａを有するシャッターボックス１とすることができる。
【００１７】
なお、本実施の形態では、水切り部Ａは、天面１ａに鋼板２を設けて構成されているが、シャッターボックス１の天面１ａを構成する鋼板自体が前面１ｂよりもさらに外方向に突出するようにあらかじめ構成されたものであってもよい。
【００１８】
このシャッターボックス１によると、天面１ａからの塵埃を含んだ雨水は、前面１ｂに雨筋となって垂れることなく水切り部Ａから流れ落ちるので、シャッターボックス１の前面１ｂが筋状に汚れるのを防止することができる。
【００１９】
したがって、設計者は、シャッターボックス１を配置する位置を汚れが生じ難い位置に考慮したり、シャッターボックス１の色などを汚れが目立たないような色に限定したりすることもなく、自由な位置に配置したり、自由な色にすることが可能となり、建物の設計の自由度が向上することとなる。このシャッターボックス１を用いた建物は、シャッターボックス１の色を淡彩色にした場合であっても汚れが目立たないので、掃除の手間がかからず優れたメンテナンス性が得られる。
【００２０】
なお、シャッターボックス１を設ける窓３としては、外壁４よりもシャッターボックス１自体が突出して設けられる窓３であれば、その形状としては特に限定されることなく、掃き出し窓、腰窓など各種の窓３に用いることができる。
【００２１】
また、このシャッターボックス１は、外壁４よりもシャッターボックス１自体が突出して設けられる箇所であれば、特に窓３だけに限定されるものではなく、ガレージの入り口や店の入り口など建物に設けられる各種の開口部に用いることができる。
【００２２】
また、シャッターボックス１は、天面１ａに空気中の塵埃が堆積するように取り付けられるものであれば有効に作用するので、外壁４から半分だけ突出するように設けられるシャッターボックス１であってもよい。
【産業上の利用可能性】
【００２３】
住宅やビルなどの各種建物のシャッターボックスに利用できる。
【図面の簡単な説明】
【００２４】
【図１】（ａ）ないし（ｄ）は本発明に係るシャッターボックスの全体構成の概略を示す平面図、正面図、底面図、側面図である。
【図２】図１の背面図である。
【図３】本発明に係るシャッターボックスの水切り部の部分拡大図である。
【図４】本発明に係るシャッターボックスの施工状態示す斜視図である。
【符号の説明】
【００２５】
１  シャッターボックス
１ａ  天面
１ｂ  前面
３  窓（開口部）
４  外壁
Ａ  水切り部
【図１】
2006328695.tif 000003
【図２】
2006328695.tif 000004
【図３】
2006328695.tif 000005
【図４】
2006328695.tif 000006